(57)【要約】【課題】分流管、分流器、分岐管の構成を上部用と下部用で共通にしながら、風速分布に応じて流通抵抗を上部で小さく、下部で大きくして熱交換能力を均等化すること。【解決手段】圧縮機と、四方弁と、室外熱交換器と、減圧器と、室内熱交換器とを具備し、室外熱交換器を縦向きに配置し、上部の送風機で外部空気を吸引して熱交換を行う空気調和機において、室外熱交換器の下方部の伝熱管に接続された分流管に冷媒を分流する下部分流器と、室外熱交換器の上方部の伝熱管に接続された分流管に冷媒を分流する下部分流器より個数の多い複数の上部分流器と、冷媒の出入り口配管に接続された本管と、本管から分岐接続され下部分流器に接続するための下部熱交換器用分岐管と、本管から分岐接続され複数の上部分流器に接続するための複数の上部熱交換用分岐管とからなる。【選択図】図１
2010127601.tif 000002
【特許請求の範囲】
【請求項１】
圧縮機と、四方弁と、室外熱交換器と、減圧器と、室内熱交換器とを具備し、前記室外熱交換器を縦向きに配置し、上部に設けた送風機で外部空気を吸引して熱交換を行うようにした上吹きタイプの空気調和機において、前記室外熱交換器の下方部の伝熱管に接続された分流管に冷媒を分流する下部分流器と、前記室外熱交換器の上方部の伝熱管に接続された分流管に冷媒を分流する前記下部分流器より個数の多い複数の上部分流器と、冷媒の出入り口配管に接続された本管と、この本管から分岐接続され前記下部分流器に接続するための下部熱交換器用分岐管と、前記本管から分岐接続され前記複数の上部分流器に接続するための複数の上部熱交換用分岐管とからなることを特徴とする空気調和機。
【請求項２】
下部熱交換器用分岐管と複数の上部熱交換用分岐管は、本管より小さな直径のものからなることを特徴とする請求項１記載の空気調和機。
【請求項３】
上部分流器と下部分流器は、各分流管に略均等に冷媒を分流するものからなることを特徴とする請求項１記載の空気調和機。
【請求項４】
室外熱交換器は、同一構成の上部熱交換器と下部熱交換器を上下２段に配置し、前記上部熱交換器の伝熱管に分流管を直接接続し、前記下部熱交換器の伝熱管に分流管をＴ字管を介して接続するようにしたことを特徴とする請求項１記載の空気調和機。
【請求項５】
上部熱交換器の伝熱管に接続された分流管の本数を、下部熱交換器の伝熱管に接続された分流管の本数より多くなるようにしたことを特徴とする請求項４記載の空気調和機。
【請求項６】
下部分流器を下部熱交換器の下方部に臨ませた本管の下方部で分岐接続し、上部分流器を上部熱交換器の下方部に臨ませた本管の上方部で分岐接続したことを特徴とする請求項１記載の空気調和機。
【発明の詳細な説明】
【技術分野】
【０００１】
本発明は、室外機の熱交換器を、内部の機器の外周を囲むように縦向きに配置し、上部に設けた送風機で外部空気を熱交換器の放熱フィンの間から吸引して外部空気と熱交換を行うようにした上吹きタイプの室外機を備えた空気調和機に関するものである。
【背景技術】
【０００２】
図２に示すように、一般的な空気調和機は、室外機１０と室内機１１からなり、室外機１０の室外熱交換器１２、四方弁１３、圧縮機１４から室内機１１の室内熱交換器１６、減圧器１７へと順次環状に配置して構成される。なお、減圧器１７は、室外機１０側に設けてもよい。
図３（ａ）（ｂ）及び図４（ａ）（ｂ）に示すように、前記室外熱交換器１２は、例えば、正面の操作部２８以外の３方から内部の機器の外周を囲むように縦向きに配置され、室外熱交換器１２の伝熱管２４を流れる冷媒は、機枠２７の上部に設けた送風機１５で外部空気を放熱フィン３３の間から吸引して外部空気と熱交換されて蒸発又は凝縮する。図示例では、前記室外熱交換器１２は、上部室外熱交換器１２ａと下部室外熱交換器１２ｂを上下２段に重ねて設けている。
【０００３】
このような上吹きタイプの室外熱交換器１２では、図３（ｂ）に示すように、風速分布特性が室外熱交換器１２の上端からやや下方が最も速く、下部に至るに従い順次遅くなり、これに伴い、熱交換能力も下部に行くに従い低下する傾向を有する。そのため、伝熱管２４を流れる冷媒の分流比を、上方で大きく、下方で小さくなるようにすることが望ましい。
【０００４】
この問題点を解決するために、図５に示すように、内部で分流比を調整できる主分流器１９と、同様に内部で分流比を調整できる副分流器２０を用いる方法が提案されている（特許文献１）。
詳細に説明すると、水平な複数の伝熱管２４をＵ字管３４で順次接続して室外熱交換器１２を構成し、この室外熱交換器１２の最下方部に位置し、かつ、出入り口配管２１に接続して主分流器１９を設け、この主分流器１９の下流（暖房時の冷媒の流れの方向で、機械的構成では上部）に２個の副分流器２０ａ、２０ｂを設け、これらの副分流器２０ａ、２０ｂにそれぞれ分流管２３ａ１、２３ａ２、２３ｂ１、２３ｂ２の一端部を接続し、これらの分流管２３ａ１、２３ａ２、２３ｂ１、２３ｂ２の他端部を各伝熱管２４の端部の連結部３５に接続している。
【０００５】
このような構成において、冷媒は、主分流器１９により２つに分流されて冷媒配管２２ａを経て副分流器２０ａに至り、また、冷媒配管２２ｂを経て副分流器２０ｂに至り、これら副分流器２０ａ、２０ｂによりそれぞれさらに分流されて分流管２３ａ１、２３ａ２、２３ｂ１、２３ｂ２を介して室外熱交換器１２に流入する。
そして、最も下方に位置する分流管２３ｂ２は、他の分流管２３ａ１、２３ａ２、２３ｂ１に比べて小径に設定されて流通抵抗が大きくなるようにしている。
冷媒の分流比率を変える手段として、配管の径を異ならせる以外に、副分流器２０ｂの内部の２つの冷媒通路のうち分流管２３ｂ２が接続されている側に流動抵抗を設ける方法、内部の２つの冷媒通路を偏心させておく方法が開示されている。
【特許文献１】特開２００８−７５９２９号公報。
【発明の開示】
【発明が解決しようとする課題】
【０００６】
以上のような特許文献１記載の方法には、次のような問題点を有する。
（１）分流管２３ａ１、２３ａ２、２３ｂ１、２３ｂ２は、１本ずつしか図示されていないが、実際は、多数本で構成されているため、図５のように副分流器２０ｂに接続された分流管２３ｂ１と２３ｂ２の径を異ならせると、分流管と副分流器２０ｂとの接続個所と、分流管と連結部３５との接続個所が多数あるにもかかわらず、管径に応じて決められた個所にしか接続できず、製造、組み立ての作業性が悪い。
（２）分流管の管径を同一にして、副分流器２０ｂの内部の冷媒通路のうち分流管２３ｂ２が接続される側に流動抵抗を設ける方法では、複数本ずつの分流管２３ｂ１、２３ｂ２の接続される個所が同一形状であるにもかかわらず、分流管２３ｂ１、２３ｂ２の接続個所が流動抵抗の有無によって予め決められており、組み立て作業性が悪いだけでなく、誤接続の恐れがある。
（３）内部の２つの冷媒通路を偏心させて分流管２３ｂ２が接続されている側の流量を少なくする方法でも前記（２）と同様に、分流管２３ｂ１、２３ｂ２の接続個所が偏心個所によって決められており、組み立て作業性が悪いだけでなく、誤接続の恐れがある。
などの問題があった。
【０００７】
本発明は、すべての分流管と分流器を統一した構成としながら、送風機による風速分布に伴う伝熱管の上下部での熱交換能力に差違が生じないようにした空気調和機を提供することを目的とものである。
【課題を解決するための手段】
【０００８】
本発明の空気調和機は、圧縮機と、四方弁と、室外熱交換器と、減圧器と、室内熱交換器とを具備し、前記室外熱交換器を縦向きに配置し、上部に設けた送風機で外部空気を吸引して熱交換を行うようにした上吹きタイプの空気調和機において、前記室外熱交換器の下方部の伝熱管に接続された分流管に冷媒を分流する下部分流器と、前記室外熱交換器の上方部の伝熱管に接続された分流管に冷媒を分流する前記下部分流器より個数の多い複数の上部分流器と、冷媒の出入り口配管に接続された本管と、この本管から分岐接続され前記下部分流器に接続するための下部熱交換器用分岐管と、前記本管から分岐接続され前記複数の上部分流器に接続するための複数の上部熱交換用分岐管とからなることを特徴とする。
【０００９】
下部熱交換器用分岐管と複数の上部熱交換用分岐管は、本管より小さな直径のもので構成し、流通抵抗を分岐管の数で調整する。
【００１０】
上部分流器と下部分流器は、各分流管に略均等に分流するものに統一して製造、組立等を容易にする。
【００１１】
室外熱交換器は、同一構成の上部熱交換器と下部熱交換器を上下２段に配置し、前記上部熱交換器の伝熱管に分流管を直接接続し、前記下部熱交換器の伝熱管に分流管をＴ字管を介して接続することにより、熱交換器の構成は同一としながらＴ字管の有無で上部熱交換器として使用するか、下部熱交換器として使用するかを選択する。
【００１２】
上部熱交換器の伝熱管に接続された分流管の本数を、下部熱交換器の伝熱管に接続された分流管の本数より多くして流通抵抗を少なくする。
【００１３】
下部分流器を下部熱交換器の下方部に臨ませた本管の下方部で分岐接続し、上部分流器を上部熱交換器の下方部に臨ませた本管の上方部で分岐接続することにより、暖房の除霜運転時と冷房運転時おいて、配管の高低差による圧力損失が小さくなり、無駄なエネルギー損失がなくなる。
【発明の効果】
【００１４】
請求項１記載の発明によれば、圧縮機と、四方弁と、室外熱交換器と、減圧器と、室内熱交換器とを具備し、前記室外熱交換器を縦向きに配置し、上部に設けた送風機で外部空気を吸引して熱交換を行うようにした上吹きタイプの空気調和機において、前記室外熱交換器の下方部の伝熱管に接続された分流管に冷媒を分流する下部分流器と、前記室外熱交換器の上方部の伝熱管に接続された分流管に冷媒を分流する前記下部分流器より個数の多い複数の上部分流器と、冷媒の出入り口配管に接続された本管と、この本管から分岐接続され前記下部分流器に接続するための下部熱交換器用分岐管と、前記本管から分岐接続され前記複数の上部分流器に接続するための複数の上部熱交換用分岐管とからなるので、分流器、分流管、熱交換器、分岐管の形状を統一し、分岐管と分流管の数、本管の太さだけで流通抵抗を変えればよく、誤接続の恐れがなく、製造、組み立てがきわめて容易になる。
【００１５】
請求項２記載の発明によれば、下部熱交換器用分岐管と複数の上部熱交換用分岐管は、本管より小さな直径のものとすることにより、下部熱交換器用分岐管と複数の上部熱交換用分岐管は、同一径とすることができる。また、分岐管に対する本管の管径の比率を変えることにより、下部室外熱交換器の伝熱管に流れる冷媒量に対する上部室外熱交換器の各伝熱管に流れる冷媒量の比率を変えることができる。
【００１６】
請求項３記載の発明によれば、上部分流器と下部分流器は、各分流管に略均等に冷媒を分流するものとすることにより、上部分流器と下部分流器に接続された複数本の分流管の製造、組み立てが容易になる。
【００１７】
請求項４記載の発明によれば、室外熱交換器は、同一構成の上部熱交換器と下部熱交換器を上下２段に配置し、前記上部熱交換器の伝熱管に分流管を直接接続し、前記下部熱交換器の伝熱管に分流管をＴ字管を介して接続するようにしたので、組み立て効率のよい空気調和機を提供できる。
【００１８】
請求項５記載の発明によれば、上部熱交換器の伝熱管に接続された分流管の本数を、下部熱交換器の伝熱管に接続された分流管の本数より多くなるようにしたので、上部での冷媒の流れがよくなる。
【００１９】
請求項６記載の発明によれば、下部分流器を下部熱交換器の下方部に臨ませた本管の下方部で分岐接続し、上部分流器を上部熱交換器の下方部に臨ませた本管の上方部で分岐接続したので、暖房の除霜運転時と冷房運転時おいて、配管の高低差による圧力損失が小さくなり、無駄なエネルギー損失がなくなる。
【発明を実施するための最良の形態】
【００２０】
本発明は、圧縮機と、四方弁と、室外熱交換器と、減圧器と、室内熱交換器とを具備し、前記室外熱交換器を縦向きに配置し、上部に設けた送風機で外部空気を吸引して熱交換を行うようにした上吹きタイプの室外熱交換器を備えた空気調和機に適用される。
分流器は、その内部で分流比を調整するのではなく、すべての分流管に均等に冷媒が流れるように構成する。
室外熱交換器の上方部の伝熱管に接続された分流管に冷媒を分流する上部分流器は、室外熱交換器の下方部の伝熱管に接続された分流管に冷媒を分流する下部分流器より個数を多くする。
【００２１】
冷媒の出入り口配管に本管を接続し、この本管に下部分流器に接続するための下部熱交換器用分岐管を分岐接続し、また、本管に複数の上部分流器に接続するための複数の上部熱交換用分岐管を分岐接続する。
本管の直径は、下部熱交換器用分岐管と複数の上部熱交換用分岐管の直径より大きくする。
室外熱交換器は、同一構成の上部熱交換器と下部熱交換器を上下２段に配置し、上部熱交換器の伝熱管に分流管を直接接続し、下部熱交換器の伝熱管に分流管をＴ字管を介して接続することで、可能な限り共通の構成とする。
上部熱交換器の伝熱管に接続された分流管の本数を、下部熱交換器の伝熱管に接続された分流管の本数より多くして流通抵抗を少なくする。
下部分流器を下部熱交換器の下方部に臨ませた本管の下方部で分岐接続し、上部分流器を上部熱交換器の下方部に臨ませた本管の上方部で分岐接続したので、暖房の除霜運転時と冷房運転時おいて、配管の高低差による圧力損失が小さくなり、無駄なエネルギー損失がなくなる。
【実施例１】
【００２２】
本発明による空気調和機の実施例１を図面に基づき説明する。
図１において、１２は、室外熱交換器である。この室外熱交換器１２は、図３（ａ）及び図４（ａ）（ｂ）に示すものと同様に、水平な多数の伝熱管２４と垂直な多数の放熱フィン３３とが互いに直角に交差したいわゆるクロスフィンチューブ型に構成されている。この室外熱交換器１２は、同一構成の上部室外熱交換器１２ａと下部室外熱交換器１２ｂを上下２段に重ねて設けられている。また、この室外熱交換器１２は、正面の操作部２８以外の３方から内部機器の外周を囲むように縦向きに配置され、前記伝熱管２４を流れる冷媒は、機枠２７の上部に設けられた送風機１５で外部空気を前記放熱フィン３３の間から吸引して外部空気と熱交換されて蒸発又は凝縮するように構成されている。
【００２３】
前記上部室外熱交換器１２ａは、図１に示すように、例えば、７２本の水平な伝熱管２４を有する。そのうちの上半分の３６本は、順次Ｕ字管３４で接続された６本の伝熱管２４を１グループとして連結部３４ａ１１、３４ａ１２、…３４ａ１６を経て各分流管２３ａ１、…に接続されている。また、下半分の３６本も同様に、順次Ｕ字管３４で接続された６本の伝熱管２４を１グループとして連結部３４ａ２１、３４ａ２２、…３４ａ２６を経て各分流管２３ａ２、…に接続されている。
前記下部室外熱交換器１２ｂは、例えば、７２本の水平な伝熱管２４を有し、順次Ｕ字管３４で接続された６本の伝熱管２４を１グループとし、さらに２個一対の連結部３４ｂ０１と３４ｂ０２、３４ｂ０３と３４ｂ０４、…、３４ｂ１１と３４ｂ１２がそれぞれＴ字管３６で合流されて、１２本の伝熱管２４を１グループとして各分流管２３ｂに接続されている。
したがって、上部室外熱交換器１２ａの分流管は、上半分の６本の各分流管２３ａ１、…と、下半分の６本の各分流管２３ａ２、…との合計１２本を有する。下部室外熱交換器１２ｂの分流管は、Ｔ字管３６で合流しているので６本の各分流管２３ｂ、…を有し、上部室外熱交換器１２ａの半分の本数である。
前記伝熱管２４の本数、上部室外熱交換器１２ａと下部室外熱交換器１２ｂのグループ分けする分流管２３の本数等は、一例でありこれに限られるものではないが、上部室外熱交換器１２ａ側の分流管２３の本数が下部室外熱交換器１２ｂ側の分流管２３の本数より多くすることが望ましい。
【００２４】
前記上部室外熱交換器１２ａと下部室外熱交換器１２ｂからなる室外熱交換器１２の他方側は、各伝熱管がＴ字管３６で合流されてヘッダ２５に接続され、このベッダ２５の他端は、図２と同様に四方弁１３に接続される。
なお、上部室外熱交換器１２ａでは、各連結部３４ａ１１、３４ａ１２、…３４ａ１６に各分流管２３を直接接続し、下部室外熱交換器１２ｂは、２個一対の連結部３４ｂ０１と３４ｂ０２、３４ｂ０３と３４ｂ０４、…、３４ｂ１１と３４ｂ１２にそれぞれＴ字管３６介在して各分流管２３を接続しているが、上部室外熱交換器１２ａと下部室外熱交換器１２ｂの基本構成は可能な限り共通としている。
【００２５】
前記出入り口配管２１は、前記下部室外熱交換器１２ｂの下端部に位置して配置される。
この出入り口配管２１には、図１に示すように、垂直な太い本管２９が接続され、この本管２９は、上部室外熱交換器１２ａの略下端部の位置まで延びて設けられる。この本管２９の上方部には、前記本管２９より細い上半部用分岐管２９ａ１と下半部用分岐管２９ａ２が上向きにＵ字形に分岐接続され、また、この本管２９の下方部には、前記本管２９より細い下部熱交換器用分岐管２９ｂが上向きに分岐接続される。
前記上半部用分岐管２９ａ１、下半部用分岐管２９ａ２、下部熱交換器用分岐管２９ｂの内径は、すべて本管２９より細く、かつ、同一径にすることが規格統一のために望ましい。
【００２６】
さらに詳しくは、出入り口配管２１から本管２９の接続部分Ｐ１を経て送られてきた冷媒を、本管２９と下部熱交換器用分岐管２９ｂの分岐点Ｐ２では、下部熱交換器用分岐管２９ｂ側に少なく、本管２９側に多く流通させる。
本管２９を流通した冷媒は、上端の分岐点Ｐ３で上半部用分岐管２９ａ１と下半部用分岐管２９ａ２に分流される。すなわち、上半部用分岐管２９ａ１、下半部用分岐管２９ａ２、下部熱交換器用分岐管２９ｂは、すべて同一径に設定し、本管２９のみ太くする。
その結果、下部熱交換器用分岐管２９ｂの１個分の分流比率よりも、上半部用分岐管２９ａ１と下半部用分岐管２９ａ２を加えた２個分の分流比率が大きくなり、伝熱管２４を流れる冷媒の分流比が、上方で大きく、下方で小さくなる。
【００２７】
上記例では、冷媒が出入り口配管２１側から流れ込み、分岐点Ｐ２とＰ３で分岐する暖房運転時の例を示したが、逆に、冷媒が分岐点Ｐ３とＰ２で合流してＰ１から出入り口配管２１に流れ込む冷房運転時であっても分流比率は同様である。
このように、冷媒の分流比率を変える手段として、従来のように、多数の分流管の径を異ならせたり、分流管が接続されている側に流動抵抗を設けたり、内部の冷媒通路を偏心させたりするのではなく、本発明では、上半部用分岐管２９ａ１、下半部用分岐管２９ａ２、下部熱交換器用分岐管２９ｂは、すべて同一径に設定し、上下の分流管の個数を変え、本管２９の径を太くすることにより、簡単な構成で冷媒の分流比を、風速分布に可能な限り対応させるようにしている。
【００２８】
前記上部熱交換器用分岐管２９ａ１と２９ａ２には、それぞれ上半部用分流器３０ａ１と下半部用分流器３０ａ２が接続される。これらの上半部用分流器３０ａ１と下半部用分流器３０ａ２は、暖房時の除霜運転のために上部室外熱交換器１２ａの下端部に出来るだけ近づけて設置される。これらの上半部用分流器３０ａ１と下半部用分流器３０ａ２には、前記６本ずつの分流管２３ａ１と２３ａ２が接続される。これら６本ずつの分流管２３ａ１と２３ａ２への分流が出来るだけ均等に行われるように所定長だけ立ち上がらせてから前記各連結部３４ａ１１、…と３４ａ２１、…に接続される。
【００２９】
前記下部熱交換器用分岐管２９ｂには、下部分流器３１が接続される。この下部分流器３１は、暖房時の前記下部室外熱交換器１２ｂの除霜運転のために下部室外熱交換器１２ｂの下端部に出来るだけ近づけて設置される。この下部分流器３１には、前記６本の分流管２３ｂが接続される。これら６本の分流管２３ｂへの分流が出来るだけ均等に行われるようにすべてを所定長だけ立ち上がらせてから前記Ｔ字管３６を介して各連結部３４ｂ０１、…に接続される。
前記上半部用分流器３０ａ１、下半部用分流器３０ａ２、下部分流器３１は、すべて同一径の６本の分流管が接続されるように同一形状に構成して、誤接続の恐れがないようにしている。
【００３０】
次に空気調和機の動作を説明する。
暖房運転時には、四方弁１３のポートＡとＤが連通し、ポートＢとＣが連通するように切り替える（図２の点線矢印状態）。すると、冷媒は、圧縮機１４により高圧過熱蒸気となり室内機１１の室内熱交換器１６に送られ、この室内熱交換器１６で高圧過熱蒸気が凝縮し放熱（暖房効果）され、高圧飽和液となって減圧器１７で減圧され、湿り蒸気となり室外機１０の室外熱交換器１２に送られる。この室外熱交換器１２で湿り蒸気が蒸発し、吸熱をして低圧の飽和蒸気となって四方弁１３を経て圧縮機１４に戻される。
【００３１】
この暖房運転時において、減圧器１７で減圧され出入り口配管２１のＰ１から送られてきた冷媒は、分岐点Ｐ２にて管径に応じて本管２９側が多く、下部熱交換器用分岐管２９ｂが少なくなるように分岐される。本管２９側を流れてきた冷媒は、上端部で上半部用分流器３０ａ１と下半部用分流器３０ａ２に分岐される。
下部熱交換器用分岐管２９ｂは、下部室外熱交換器１２ｂに接続されて冷媒が流れやすいので、個数を１個とし、これに対し、上部熱交換器用分岐管２９ａは、上側なので冷媒が重力に逆らい流れにくいので、上半部用分岐管２９ａ１と下半部用分岐管２９ａ２の２個と個数を多くして並列接続とすることにより下部熱交換器用分岐管２９ｂよりも流通抵抗を小さくして冷媒を流れ易くしている。
【００３２】
この結果、冷媒は、上半部用分岐管２９ａ１と下半部用分岐管２９ａ２の２個に分岐されて２個の上半部用分流器３０ａ１と下半部用分流器３０ａ２へ送られ、各６本ずつ１２本の分流管２３ａ１と２３ａ２に分流され、各連結部３４ａ１１、…と３４ａ２１、…を経て上部室外熱交換器１２ａの７２本の各伝熱管２４に送られる。
また、１個の下部熱交換器用分岐管２９ｂからの冷媒は、１個の下部分流器３１へ送られ、６本の分流管２３ｂに分流され、各連結部３４ｂ０１、…を経て下部室外熱交換器１２ｂの７２本の各伝熱管２４に送られる。
このようにして、上部の流通抵抗を下部より小さくして上部室外熱交換器１２ａの各伝熱管２４と下部室外熱交換器１２ｂの伝熱管２４に風速分布に対応させて冷媒が流される。
【００３３】
なお、上半部用分岐管２９ａ１と下半部用分岐管２９ａ２は本管２９から２個並列に分岐し、下部熱交換器用分岐管２９ｂは、本管２９から１個だけ分岐しているので、分岐管に対する本管２９の管径の比率をより大きくすれば、下部室外熱交換器１２ｂの伝熱管２４に流れる冷媒量に対する上部室外熱交換器１２ａの各伝熱管２４に流れる冷媒量の比率を多くすることができる。つまり、分岐管に対する本管の管径の比率を変えることにより、下部室外熱交換器１２ｂの伝熱管２４に流れる冷媒量に対する上部室外熱交換器１２ａの各伝熱管２４に流れる冷媒量の比率を変えることができる。
【００３４】
冷房運転時には、四方弁２２のポートＡとＢが連通し、ポートＣとＤが連通するように切り替える（図２の実線矢印状態）。すると、冷媒は、圧縮機１４により高圧過熱蒸気となり室外熱交換器１２の伝熱管２４に送られ、この伝熱管２４で蒸気が凝縮しファン１５により放熱され、高圧飽和液となって上部室外熱交換器１２ａから各分流管２３ａ１、２３ａ２、上部分流器３０ａ１、３０ａ２、上部熱交換器用分岐管２９ａ１、２９ａ２を経て本管２９に合流し、また、下部室外熱交換器１２ｂから各分流管２３ｂ、下部分流器３１、下部熱交換器用分岐管２９ｂを経て本管２９に合流し、本管２９から出入り口配管２１により室内機１１の減圧器１７に送られる。この減圧器１７で高圧湿り液となって室内熱交換器１６に供給され、この室内熱交換器１６で湿り蒸気が蒸発し、吸熱（冷房効果）をして低圧の飽和蒸気となって四方弁１３を経て圧縮機１４に戻される。
【００３５】
前記実施例では、室外機１０の室外熱交換器１２を上下２段重ねとしたが、分割しないものでもよいし、３分割以上に分割したものでもよい。
前記実施例では、上部分流器３０の個数を下部分流器３１が１個に対して２個としたが、２個以上でもよい。このように、複数の上部分流器３０を並列接続とすることにより、下部分流器３１より流通抵抗が減少し、室外熱交換器１２の上部と下部での熱交換能力が均等化される。
前記実施例では、出入り口配管２１は、本管２９に接続され、この本管２９の下方部で下部熱交換器用分岐管２９ｂが分岐接続され、前記本管２９の上端部では、上半部用分岐管２９ａ１と下半部用分岐管２９ａ２に分岐された二股の上部室外熱交換器１２ａを接続した。しかし、これに限られるものではなく、前記本管２９の上端部で三股又はそれ以上に分岐したものを接続してもよい。また、上半部用分岐管２９ａ１と下半部用分岐管２９ａ２のいずれか一方又は両方を上端部でさらに二股以上に分岐してもよい。
【図面の簡単な説明】
【００３６】
【図１】本発明による空気調和機における室外空気交換器の一実施例を示す説明図である。
【図２】上吹きタイプの空気調和機の縦断面図である。
【図３】（ａ）は、従来の上吹きタイプの室外機を備えた空気調和機の説明図、（ｂ）は、風速分布と熱交換能力の特性図である。
【図４】（ａ）は、室外空気交換器の一部の斜視図であり、（ｂ）は、上吹きタイプの空気調和機の横断平面図である。
【図５】従来の室外空気交換器を示す説明図である。
【符号の説明】
【００３７】
１０…室外機、１１…室内機、１２…室外熱交換器、１３…四方弁、１４…圧縮機、１５…送風機、１６…室内熱交換器、１７…減圧器、１８…送風機、１９…主分流器、２０…副分流器、２１…出入り口配管、２２…冷媒配管、２３…分流管、２４…伝熱管、２５…ヘッダ、２６…仕切り板、２７…機枠、２８…操作部、２９…本管、２９ａ，２９ｂ…分岐管、３０…上部分流器、３１…下部分流器、３２…分流器、３３…放熱フィン、３４…Ｕ字管、３５…連結部、３６…Ｔ字管。
【図１】
2010127601.tif 000003
【図２】
2010127601.tif 000004
【図３】
2010127601.tif 000005
【図４】
2010127601.tif 000006
【図５】
2010127601.tif 000007